(57)【要約】【課題】収納袋に収納物を充填する時にＩＣタグが破壊されるのを防止することができるＩＣタグ付き収納袋及び搬送物を提供する。【解決手段】本発明に係るＩＣタグ付き収納袋１００は、内袋４と外袋３とで二重構造となっている袋体と、その袋体に取り付けられたＩＣタグ５と、を備え、外袋３の底部３ｃは、内袋４の底部４ｃから隔離して設けられ、ＩＣタグ５は、外袋３の底部３ｃであって、内袋４の底部４ｃの非対向面に取り付けられている。【選択図】図１
2014104980.tif 000002
【特許請求の範囲】
【請求項１】
内袋体と外袋体とで二重構造となっている袋体と、その袋体に取り付けられたＩＣタグと、を備えるＩＣタグ付き収納袋であって、
前記外袋体の底部は、前記内袋体の底部から隔離して設けられ、
前記ＩＣタグは、前記外袋体の底部であって、前記内袋体の底部の非対向面に取り付けられていることを特徴とするＩＣタグ付き収納袋。
【請求項２】
前記内袋体の底部外面の一部と前記外袋体の底部内面の一部とは、接着剤で固定されていることを特徴とする請求項１に記載のＩＣタグ付き収納袋。
【請求項３】
前記外袋体の底部は、前記内袋体の底部外面と対向する内側面部材と、その内側面部材の外側にある外側面部材とを備え、
前記ＩＣタグは、前記内側面部材と、前記外側面部材との間に配置されていることを特徴とする請求項１または請求項２に記載のＩＣタグ付き収納袋。
【請求項４】
前記外袋体の底部外面に、前記内側面部材及び前記外側面部材を覆った状態で取り付けられた補強部材をさらに備えたことを特徴とする請求項３に記載のＩＣタグ付き収納袋。
【請求項５】
前記ＩＣタグと前記外袋体の底部との間に、緩衝材を介装したことを特徴とする請求項１から請求項４のいずれか一項に記載のＩＣタグ付き収納袋。
【請求項６】
前記内袋体は、樹脂製の袋体であることを特徴とする請求項１から請求項５のいずれか一項に記載のＩＣタグ付き収納袋。
【請求項７】
請求項１から請求項６のいずれか一項に記載のＩＣタグ付き収納袋と、前記ＩＣタグ付き収納袋の前記内袋体に収納された収納物と、を備えたことを特徴とする搬送物。
【請求項８】
前記外袋体の底部内面と前記内袋体の底部外面との間に３ｍｍ以上の隙間が設けられていることを特徴とする請求項７に記載の搬送物。
【発明の詳細な説明】
【技術分野】
【０００１】
本発明は、ＩＣタグ付き収納袋及び搬送物に関し、特に金属材料や液体材料などを収納する際に用いられるＩＣタグ付き収納袋及び搬送物に関する。
【背景技術】
【０００２】
例えば小麦粉のような粉体を搬送する方法の一つとして、その粉体を包装袋に充填し、その包装袋ごと搬送する方法が知られている。
最近、流通管理、トレーサビリティなどの観点から、このような包装袋においても、その充填時の状況や流通の過程などの様々な履歴情報を後から知り得るようにすることが望まれている。従来、包装袋のそれぞれに対して履歴情報を記録する方法としては、包装袋にＩＣタグを貼り付け、このＩＣタグに履歴情報を記録するような方法が知られていた。この種の技術としては、例えば、特許文献１に記載されたものがある。
【先行技術文献】
【特許文献】
【０００３】
【特許文献１】特許第４９９４７５５号公報
【発明の概要】
【発明が解決しようとする課題】
【０００４】
ところが、従来技術に係るＩＣタグ付き包装袋に収納物を充填すると、例えば収納物の重み等が直接的にＩＣタグに伝わり、収納物充填時にＩＣタグが破壊されてしまうことがあった。
本発明は、上記事情に鑑み、収納袋に収納物を充填する時にＩＣタグが破壊されるのを防止することができるＩＣタグ付き収納袋及び搬送物を提供することを目的とする。
【課題を解決するための手段】
【０００５】
上記課題を解決するための本発明の一態様は、内袋体と外袋体とで二重構造となっている袋体と、その袋体に取り付けられたＩＣタグと、を備えるＩＣタグ付き収納袋であって、前記外袋体の底部は、前記内袋体の底部から隔離して設けられ、前記ＩＣタグは、前記外袋体の底部であって、前記内袋体の底部の非対向面に取り付けられていることを特徴とするＩＣタグ付き収納袋である。
【０００６】
また、上記のＩＣタグ付き収納袋において、前記内袋体の底部外面の一部と前記外袋体の底部内面の一部とは、接着剤で固定されていることとしてもよい。
また、上記のＩＣタグ付き収納袋において、前記外袋体の底部は、前記内袋体の底部外面と対向する内側面部材と、その内側面部材の外側にある外側面部材とを備え、前記ＩＣタグは、前記内側面部材と、前記外側面部材との間に配置されていることとしてもよい。
【０００７】
また、上記のＩＣタグ付き収納袋において、前記外袋体の底部外面に、前記内側面部材及び前記外側面部材を覆った状態で取り付けられた補強部材をさらに備えたこととしてもよい。
また、上記のＩＣタグ付き収納袋において、前記ＩＣタグと前記外袋体の底部との間に、緩衝材を介装したこととしてもよい。
【０００８】
また、上記のＩＣタグ付き収納袋において、前記内袋体は、樹脂製の袋体であることとしてもよい。
本発明の別の態様は、上記のＩＣタグ付き収納袋と、前記ＩＣタグ付き収納袋の前記内袋体に収納された収納物と、を備えたことを特徴とする搬送物である。
また、上記の搬送物において、前記外袋体の底部内面と前記内袋体の底部外面との間に３ｍｍ以上の隙間が設けられていることとしてもよい。
【発明の効果】
【０００９】
本発明に係るＩＣタグ付き収納袋は、外袋体の底部が内袋体の底部から隔離して設けられている。また、外袋体の底部であって、内袋体の底部の非対向面にＩＣタグが取り付けられている。このため、本発明に係るＩＣタグ付き収納袋は、内袋体に収納物を収納する際に外袋体の底部と内袋体の底部との間に隙間を備えている。収納物を収納袋に充填する際の衝撃はこの隙間によって緩和されるので、収納物充填時の衝撃が直接的にＩＣタグに伝わるのを低減することができる。よって、収納物充填時にＩＣタグが破壊されるのを防止することができる。
【図面の簡単な説明】
【００１０】
【図１】第１実施形態に係るＩＣタグ付き収納袋の構造を模式的に示す断面図である。
【図２】第１実施形態に係るＩＣタグ付き収納袋を構成する外袋基材を展開した平面図である。
【図３】図２に示した外袋基材を筒形状に形成した後に、両開口部を折った状態を示す斜視図である。
【図４】図２に示した外袋基材を筒形状に形成した後に、両開口部を折った状態を示す平面図である。
【図５】図４に示した状態から、折れ線部を折り曲げて底部及び封止部を形成した状態を示す平面図である。
【図６】図５に示した外袋体の底部外面及び封止部外面に貼り付ける補強部材を示す平面図である。
【図７】図５に示した外袋体に、図６に示した補強部材を貼り付けた状態を示す平面図である。
【図８】充填済みのＩＣタグ付き収納袋の構造を模式的に示す断面図である。
【図９】充填済みのＩＣタグ付き収納袋を示す斜視図である。
【図１０】充填済みのＩＣタグ付き収納袋を積載した状態を示す斜視図である。
【図１１】第２実施形態に係るＩＣタグ付き収納袋の構造を模式的に示す断面図である。
【図１２】第３実施形態に係るＩＣタグ付き収納袋の構造を模式的に示す断面図である。
【図１３】第４実施形態に係るＩＣタグ付き収納袋の構造を模式的に示す断面図である。
【発明を実施するための形態】
【００１１】
（第１実施形態）
以下、本発明の第１実施形態に係るＩＣタグ付き収納袋１００の構造について、図１〜図７を参照しつつ説明する。
【００１２】
（ＩＣタグ付き収納袋１００の構造）
図１は、第１実施形態に係るＩＣタグ付き収納袋（以下、単に「収納袋」ともいう。）１００の構造を模式的に示す断面図であって、この収納袋１００の深さ方向Ｄに沿って切断した断面図である。図１に示すように、収納袋１００は、外袋体（以下、単に「外袋」ともいう。）３と、外袋３の内側に配置された内袋体（以下、単に「内袋」ともいう。）４と、外袋３の底部３ｃに取り付けられたＩＣタグ５と、を備えた収納袋である。つまり、ＩＣタグ５は、外袋３と内袋４とで二重構造となっている袋体に取り付けられている。なお、外袋３は、底部３ｃと対向する位置に底部３ｃと略同じ構造をした封止部３ｄを備えるものであるが、図１ではこの封止部３ｄ周辺の構造の記載については省略されている。また、後述する、底部３ｃの機械的強度を高めるために取り付けられた補強部材７の記載についても、図１では省略されている。
【００１３】
以下、外袋３、内袋４、ＩＣタグ５のそれぞれについて説明する。
（外袋３）
外袋３は、袋状の外袋基材１と、外袋基材１に取付けられ、収納物の吹き込み口として作用するバルブ基材２と、を備えた袋である。なお、図１において「３ｂ」は外袋３の側面部を示し、「３ｃ」は外袋３の底部を示すものである。
【００１４】
以下、外袋３の構造の詳細について、図２〜図７を参照して外袋３の組み立て工程を述べつつ説明する。
まず、図２を参照する。図２は、第１実施形態に係るＩＣタグ付き収納袋１００を構成する外袋基材１を展開した平面図である。
外袋３を構成する外袋基材１としては、例えばクラフト紙などの用紙が用いられる。この外袋基材１は、図２に示す所定個所で折り曲げられるとともに、重ね合わせた所定個所を接着して袋状になっている。図２において、破線は谷折りする線を示し、一点鎖線は山折りする線を示している。
【００１５】
外袋基材１の面１４の図面左右方向には面１２と面１３とが設けられており、面１２と面１３とは、図面奥側に折り込まれている。そして、折り込まれた面１２と面１３とは、面１３の端部に予め塗られた接着剤１９の上に面１２の端部が重なるように接着されている。これによって外袋基材１は、開口部１ａ、１ｂを有する筒形状となる（図３参照）。なお、上述の面１２、１３、１４が、外袋３の側面部３ｂを構成するものである。
上述の接着剤１９の材料としては、例えば酢ビ系、ポリビニルアルコール系やでんぷん系の糊を用いることができる。また、後述する接着剤２８、２９、３０、３１、３２についても、この接着剤１９と同じ材料を用いることができる。
【００１６】
次に、図３〜図５を参照する。図３は、図２に示した外袋基材１を筒形状に形成した後に、開口部１ａ、１ｂをそれぞれ折り曲げた状態を示す斜視図であり、図４は、その平面図である。図５は、図４に示した状態から、折れ線部２２、２３を折り曲げて底部３ｃを形成し、折れ線部２０、２１を折り曲げて封止部３ｄを形成した状態を示す平面図である。
上述のように筒形状に形成された外袋基材１は、平坦に折り潰され、開口部１ａ、１ｂをそれぞれ折り曲げることによって、図３、図４に示すような形状となる。なお、図３、図４では、面１４が図面手前側に来る状態で示している。
【００１７】
外袋基材１は、図４に示すように、外袋基材１の開口部１ａ側に三角形状をした三角折込み部２４、２５を有している。また、外袋基材１は、開口部１ａの端部と平行して設けられた折れ線部２０及び折れ線部２１を有している。
また、外袋基材１は、外袋基材１の開口部１ｂ側に三角形状をした三角折込み部２６、２７を有している。また、外袋基材１は、開口部１ｂの端部と平行して設けられた折れ線部２２及び折れ線部２３を有している。
【００１８】
なお、折れ線部２２で折り込まれる部分を「折り込み部１８」と称し、折れ線部２３で折り込まれる部分を「折り込み部１７」と称する。また、折れ線部２０で折り込まれる部分を「折り込み部１６」と称し、折れ線部２１で折り込まれる部分を「折り込み部１５」と称する。
本実施形態では、外袋基材１の開口部１ａ、１ｂ側に形成された三角形状をした折込み部分を「三角折込み部」と称したが、この部分は「内フラップ」とも称されることもある。また、折れ線部で折り込まれる部分を「折り込み部」と称したが、この部分は「外フラップ」とも称されることもある。
【００１９】
折り込み部１８の端部には接着剤３０が塗布されており、外袋基材１を折れ線部２２で折り曲げることで折り込み部１８は三角折込み部２６、２７に接着している。また、折り込み部１７の端部には接着剤３１が塗布されており、外袋基材１を折れ線部２３で折り曲げることで折り込み部１７は折り込み部１８に接着している。
このように、折り込み部１７と折り込み部１８とが折り込まれることで、外袋３の底部３ｃが形成されている。換言すると、外袋３の底部３ｃは、面１４に連続する折り込み部１８と、面１２、１３に連続する折り込み部１７とが重なり合って形成されている。つまり、折り込み部１８が外袋３の底部３ｃの「内側面部材」となり、折り込み部１７が底部３ｃの「外側面部材」となる。
【００２０】
また、折り込み部１６の端部には接着剤２８が塗布されており、外袋基材１を折れ線部２０で折り曲げることで折り込み部１６は三角折込み部２５及び後述するバルブ基材２に接着している。また、折り込み部１５の端部には接着剤２９が塗布されており、外袋基材１を折れ線部２１で折り曲げることで折り込み部１５は折り込み部１６に接着している。このようにして、封止部３ｄが形成されている。換言すると、外袋３の封止部３ｄは、面１４に連続する折り込み部１６と、面１２、１３に連続する折り込み部１５とが重なり合って形成されている。
【００２１】
図３〜図５には、外袋基材１のほかに、外袋３を構成するバルブ基材２が示されている。バルブ基材２は、クラフト紙などの用紙を筒形状に成形したものである。このバルブ基材２は、例えば三角折込み部２４の上に接着されている。このバルブ基材２は、収納物の吹き込み口として作用するものであって、バルブ基材２の図中左端の開口部２ａは外部に通じ、図中右端の開口部２ｂは後述する内袋４に通じている。収納物の充填は、収納袋１００の完成後に充填用のノズルをこのバルブ基材２の開口部２ａから挿入して行う。バルブ基材２の内側面にはホットメルト系接着剤が塗布されており、収納物の充填時には粘着性はなく、充填完了後にバルブ基材２を加熱するとバルブ基材２の接着剤が熔融して接着する。こうして、バルブ基材２内の貫通を遮蔽し、収納袋１００内の収納物が外部に漏れるのを防ぐ。なお、このバルブ基材２の記載は、図１では省略されている。
【００２２】
次に、図６及び図７を参照する。図６は、図５に示した外袋３の底部３ｃ外面及び封止部３ｄ外面に貼り付ける補強部材６、７を示す平面図である。図７は、図５に示した外袋３に、図６に示した補強部材６、７を貼り付けた状態を示す平面図である。
補強部材６は、折り込み部１５、１６から成る封止部３ｄ外面を覆って貼り付けられている。また、補強部材７は、折り込み部１７、１８から成る底部３ｃ外面を覆って貼り付けられている。補強部材６、７を底部３ｃ、封止部３ｄにそれぞれ貼り付けることで、貼り付けられた部分の機械的強度を高めることができる。
【００２３】
補強部材７にはカットテープ部７ａが設けられている。このカットテープ部７ａには、例えば、補強部材７を図面左右方向に横断するようにビニールテープが貼り付けてある。このビニールテープを端から引き上げて補強部材７を破ることによって容易に補強部材７を破断することができる。このカットテープ部７ａによって補強部材７を破断させ、折り込み部１７と折り込み部１８との接着を剥がすことによって、充填済みの収納袋１００の外袋３を容易に開封することができる。
このようにして組み立てられたＩＣタグ付き収納袋１００の面１２、１３、１４が、外袋体３の側面部３ｂとなる。また、ＩＣタグ付き収納袋１００の折り込み部１７と折り込み部１８とが重なり合った部分が、主として外袋体３の底部３ｃとなる。
【００２４】
（内袋４）
内袋４は、収納物を収納できる袋である。図１には、内袋４の構造の概略が示されている。図１の「４ａ」は内袋４の開口部を示し、「４ｂ」は内袋４の側面部を示し、「４ｃ」は内袋４の底部を示すものである。ここで、内袋４の側面部４ｂ外面と外袋３の側面部３ｂ内面との間には、所定の間隔を隔てて接着剤３２が設けられている。そして、この接着剤３２により、内袋４の側面部４ｂと外袋３の側面部３ｂとは接着されている。また、内袋４の底部４ｃ外面は、無荷重の場合に（つまり、内袋４内に収納物を充填していない場合に）外袋３の底部３ｃ内面と対向し且つ底部３ｃ内面から隔離して設けられている。例えば、内袋４の底部４ｃと外袋３の底部３ｃとが最も接近した場所において、底部４ｃ外面は、底部３ｃ内面から１ｍｍ以上、好ましくは３ｍｍ以上、さらに好ましくは５ｍｍ以上離して設けられている。
【００２５】
内袋４を上記態様で設けるために、例えば、外袋３の封止部３ｄと底部３ｃのいずれか一方を形成した後に外袋基材１の内側に内袋４を配置し、その後他方を形成する。
この内袋４は、例えばポリエチレン等の樹脂で形成された袋である。また、内袋４の開口部４ａは、バルブ基材２の開口部２ｂと通じており、内袋４の内部は、バルブ基材２を介して外部と通じる形態となっている。内袋４の底部４ｃの形状は、例えば外袋３の底部３ｃ側に向かって円弧状となっている。なお、図３〜図７において、内袋４の記載は省略されている。
【００２６】
（ＩＣタグ５）
ＩＣタグ５は、リーダライタ等の外部機器（図示せず）と非接触で通信可能なＲＦＩＤ（Ｒａｄｉｏ  Ｆｒｅｑｕｅｎｃｙ  ＩＤｅｎｔｉｆｉｃａｔｉｏｎ）タグである。つまり、このＩＣタグ５は、無線を用いて外部とのデータ送受信が可能なＩＣタグである。より詳しくは、このＩＣタグ５は、例えば収納袋１００の銘柄、製袋工場を識別する名称、充填日時、収納した収納物の種類（品種、銘柄）等の履歴情報を非接触で書き込むことができ、また、非接触で読み取ることができるＩＣタグである。なお、履歴情報を非接触で書き込むことができ、また、非接触で読み取ることができるＩＣタグであれば、その種類は問わない。ＩＣタグ５は、例えば、アンテナ及びそのアンテナと接続したＩＣチップを備えるインレットと、そのインレットを封止する封止部材と、を備えたＩＣタグである。ＩＣタグ５に備わるアンテナは、例えばダイポールアンテナやコイルアンテナである。
【００２７】
ＩＣタグ５は、外袋３の底部３ｃであって、内袋４の底部４ｃの非対向面に取り付けられている。より詳しくは、ＩＣタグ５は、底部３ｃを構成する折り込み部１７と折り込み部１８との間であって、底部３ｃの略中央に取り付けられている（図５〜図７を参照）。例えば、折り込み部１８が折り込まれた後であって折り込み部１７が折り込まれる前に、折り込み部１８上にＩＣタグ５を配置することで、ＩＣタグ５を折り込み部１７と折り込み部１８との間に取り付ける。ＩＣタグ５の固定方法については、例えば、ＩＣタグ５の取付け面に接着剤を設け、この接着剤を介してＩＣタグ５を折り込み部１７または折り込み部１８に貼り付ける。ここで、内袋４の底部４ｃ外面と対向する面は、外袋３の底部３ｃにおいて、折り込み部１８内面である。つまり、上述の「内袋４の底部４ｃの非対向面」とは、外袋３の底部３ｃであって、上記折り込み部１８内面以外の面を指すものである。より詳しくは、例えば折り込み部１８外面、折り込み部１７内面、折り込み部１７外面を指すものである。
【００２８】
以上のように、第１実施形態に係るＩＣタグ付き収納袋１００は、内袋４と外袋３とで二重構造となっている袋体と、その袋体に取り付けられたＩＣタグ５とを備え、外袋３の底部３ｃは、内袋４の底部４ｃから隔離して設けられ、ＩＣタグ５は、外袋３の底部３ｃであって、内袋４の底部４ｃの非対向面に取り付けられているＩＣタグ付き収納袋である。
【００２９】
（使用例及び搬送物１１０）
図８は、充填済みのＩＣタグ付き収納袋１００の構造を模式的に示す断面図である。図９は、充填済みのＩＣタグ付き収納袋１００を示す斜視図である。また、図１０は、充填済みのＩＣタグ付き収納袋１００を積載した状態を示す斜視図である。
【００３０】
上述した収納袋１００に備わるバルブ基材２の開口部２ａから充填用のノズル（図示せず）を挿入し、内袋４内に収納物１０１（例えば、鉄粉などの金属材料や水などの液体材料）を充填する。こうして、内袋４に隙間なく収納物１０１を充填したＩＣタグ付き収納袋１００（以下、単に「搬送物１１０」ともいう。）を図８に示す。換言すると、搬送物１１０は、収納袋１００と、収納袋１００の内袋４に充填した収納物１０１と、を備えた搬送物である。図８に示すように、内袋４に隙間なく収納物１０１を充填しても、外袋３の底部３ｃ内面と内袋４の底部４ｃ外面との間には隙間が設けられている。より詳しくは、底部４ｃ外面と底部３ｃ内面とが最も接近した場所において、底部４ｃ外面は、１ｍｍ以上、好ましくは３ｍｍ以上、さらに好ましくは５ｍｍ以上の距離だけ底部３ｃ内面から離れている。
【００３１】
この搬送物１１０を搬送する際には、図１０に示すように、例えばパレット（図示せず）の上に各袋を積載し、搬送物１１０を例えば５０袋ずつまとめてパレットごと搬送する。
搬送物１１０は、例えば、搬送時には収納袋１００の底部３ｃが側面を向くように積載される（図１０参照）。このように積載された搬送物１１０（収納袋１００）の底部３ｃに取り付けられたＩＣタグ５に対してリーダライタ（図示せず）の読み取り面を向け、ＩＣタグ５に記録された情報の読み取り等を行う。
【００３２】
（効果）
（１）ＩＣタグ付き収納袋１００は、内袋４の底部４ｃ外面が外袋３の底部３ｃ内面から離れている。また、ＩＣタグ５は、外袋３の底部３ｃであって、内袋４の底部４ｃの非対向面に取り付けされている。
このため、収納物１０１を充填する際の衝撃（つまり、封止部３ｄ側から底部３ｃ側に向かう外力）が直接的にＩＣタグ５に伝わるのを低減することができる。よって、収納物１０１を充填する際に、ＩＣタグ５が破損する可能性を低減することができる。
【００３３】
また、内袋４に収納物１０１を充填しても外袋３の底部３ｃ内面と内袋４の底部４ｃ外面との間に隙間が形成されるように、予め底部３ｃと底部４ｃとの間に十分な隙間を設けることもできる。
こうすることで、内袋４に収納物１０１としてＩＣタグの通信を阻害する材料（例えば、鉄粉などの金属材料や水などの液体材料）を充填しても、ＩＣタグ５の通信を維持することができる。さらに、積載時に搬送物１１０が圧迫されてＩＣタグ５側に力が加わったとしても、底部３ｃ内面と底部４ｃ外面との間に隙間が形成されていればその力を緩和することができ、ＩＣタグ５が破損する可能性を低減することができる。
【００３４】
（２）また、ＩＣタグ付き収納袋１００は、ＩＣタグ５を折り込み部１７と折り込み部１８との間に配置している。
このため、ＩＣタグ５は折り込み部１７で保護されており、外部から衝撃が加わったとしてもＩＣタグ５が破損するのを低減することができる。
（３）また、ＩＣタグ付き収納袋１００は、内袋４が樹脂製の袋体である。
このため、収納物１０１が例えば水などの液体材料であっても用いることができる。また、紙製の内袋と比較して、内袋４の機械的強度を高めることができる。
【００３５】
（４）搬送物１１０は、ＩＣタグ付き収納袋１００と、ＩＣタグ付き収納袋１００に収納された収納物１０１とを備えている。
このため、搬送物１１０の収納物１０１が金属材料または液体材料であってもＩＣタグ５の通信を維持することができる。
（５）また、搬送物１１０は、外袋３の底部３ｃ内面と内袋４の底部４ｃ外面との間に、３ｍｍ以上、好ましくは５ｍｍ以上の隙間を備えている。
このため、金属材料または液体材料が充填された搬送物１１０であってもＩＣタグ５の通信をより高感度にすることができる。
【００３６】
（第２実施形態）
（ＩＣタグ付き収納袋２００の構造）
以下、本発明の第２実施形態に係るＩＣタグ付き収納袋２００の構造について、図１１を参照しつつ説明する。
図１１は、第２実施形態に係るＩＣタグ付き収納袋２００の構造を模式的に示す断面図である。第２実施形態に係るＩＣタグ付き収納袋２００は、第１実施形態に係るＩＣタグ付き収納袋１００とは、内袋４の底部４ｃ外面の一部と外袋３の底部３ｃ内面の一部とが接着剤２０１で固定されている点以外は、ＩＣタグ付き収納袋１００と略同様の形態である。そこで、上述した第１実施形態と同様の機能を果たす部分については、同一の符号を付し、重複する説明は適宜省略する。
【００３７】
ＩＣタグ付き収納袋２００は、内袋４の底部４ｃ外面の一部と、外袋３の底部３ｃ内面の一部とが接着剤２０１で固定されている形態をしている。この接着剤２０１は、例えば内袋４の底部４ｃ外面及び外袋３の底部３ｃ内面の略中央に設けられている。接着剤２０１の材料は、例えば、接着剤１９と同じ材料である。また、接着剤２０１の厚みは、例えば、１ｍｍ以上、好ましくは３ｍｍ以上、さらに好ましくは５ｍｍ以上である。
【００３８】
（効果）
ＩＣタグ付き収納袋２００は、内袋４の底部４ｃ外面の一部と外袋３の底部３ｃ内面の一部とが接着剤２０１で固定されている。
このため、ＩＣタグ付き収納袋２００内における内袋４の底部４ｃの位置ずれを防止することができる。さらに、この接着剤２０１があるために、外袋３の底部３ｃと内袋４の底部４ｃとの間に隙間を確実に確保することができる。よって、その隙間で収納物充填時の衝撃が緩和され、収納物充填時にＩＣタグが破壊されるのを防止することができる。また、ＩＣタグ付き収納袋２００の内袋４に鉄粉などの金属材料や水などの液体材料を充填しても、ＩＣタグ５の通信を維持することができる。
【００３９】
（第３実施形態）
（ＩＣタグ付き収納袋３００の構造）
以下、本発明の第３実施形態に係るＩＣタグ付き収納袋３００の構造について、図１２を参照しつつ説明する。
図１２は、第３実施形態に係るＩＣタグ付き収納袋３００の構造を模式的に示す断面図である。第３実施形態に係るＩＣタグ付き収納袋３００は、第１実施形態に係るＩＣタグ付き収納袋１００とは、折り込み部１８とＩＣタグ５との間に衝撃を吸収することのできる緩衝材３０１を備えている点以外は、ＩＣタグ付き収納袋１００と略同様の形態である。そこで、上述した第１実施形態と同様の機能を果たす部分については、同一の符号を付し、重複する説明は適宜省略する。
【００４０】
ＩＣタグ付き収納袋３００は、折り込み部１８とＩＣタグ５の取り付け面５ａとの間に衝撃を吸収することのできる緩衝材３０１を備えた形態をしている。この緩衝材３０１は、例えばウレタンで形成された緩衝材である。緩衝材３０１の厚みは、例えば１ｍｍ以上の厚みである。また、この緩衝材３０１の、ＩＣタグ５の取り付け面５ａ側とは反対側の面には接着剤（図示せず）が設けられており、この接着剤により、ＩＣタグ５及び緩衝材３０１は折り込み部１８に固定されている。
【００４１】
（効果）
ＩＣタグ付き収納袋３００は、緩衝材３０１を備えたＩＣタグ５を用いている。
このため、内袋４に収納物１０１を充填した際に内袋４の底部４ｃが外袋３の底部３ｃに衝突し、その結果ＩＣタグ５が衝撃を受けたとしてもＩＣタグ５が破損するのを低減することができる。また、緩衝材３０１を備えることで、収納物１０１とＩＣタグ５との間の距離を長くすることができる。よって、ＩＣタグ５の通信感度がより高くなる。
【００４２】
（第４実施形態）
（ＩＣタグ付き収納袋４００の構造）
以下、本発明の第４実施形態に係るＩＣタグ付き収納袋４００の構造について、図１３を参照しつつ説明する。
図１３は、第４実施形態に係るＩＣタグ付き収納袋４００の構造を模式的に示す断面図である。第４実施形態に係るＩＣタグ付き収納袋４００は、第１実施形態に係るＩＣタグ付き収納袋１００とは、折り込み部１７が二重に折り曲げられて設けられている点以外は、ＩＣタグ付き収納袋１００と略同様の形態である。そこで、上述した第１実施形態と同様の機能を果たす部分については、同一の符号を付し、重複する説明は適宜省略する。
【００４３】
（効果）
ＩＣタグ付き収納袋４００は、折り込み部１７が二重に折り曲げられてＩＣタグ５を覆った形態をしている。
このため、不図示の補強部材７側からＩＣタグ５側に向かって衝撃が加わっても、二重に設けた折り込み部１７がその衝撃を吸収するので、ＩＣタグ５が破損するのを低減することができる。
【００４４】
（その他の実施形態）
第１実施形態〜第４実施形態に係るＩＣタグ付き収納袋１００、２００、３００、４００では、ＩＣタグ５を折り込み部１７と折り込み部１８との間に配置した形態について説明したが、これに限定されるものではない。例えば、ＩＣタグ５を折り込み部１７と補強部材７との間に配置した形態であってもよい。
【００４５】
このような形態であっても、上述した作用効果と同様の作用効果を得ることができる。
また、第１実施形態〜第４実施形態に係るＩＣタグ付き収納袋１００、２００、３００、４００では、底部３ｃの略中心にＩＣタグ５を配置した形態について説明したが、これに限定されるものではない。例えば、図１、１１〜１３において、折れ線部２２側に片寄らせてＩＣタグ５を配置した形態であってもよいし、折れ線部２３側に片寄らせてＩＣタグ５を配置した形態であってもよい。
【００４６】
このような形態であっても、上述した作用効果と同様の作用効果を得ることができる。
また、第３実施形態に係るＩＣタグ付き収納袋３００では、緩衝材３０１を備えたＩＣタグ５を用いた形態について説明したが、これに限定されるものではない。例えば、緩衝材３０１に代えて、スペーサを備えたＩＣタグ５を用いてもよい。
【００４７】
このような形態であれば、内袋４に収納物１０１を充填した際に、内袋４の底部４ｃとＩＣタグ５との間の隙間が狭くなってもＩＣタグ５の通信が可能となる。
また、搬送物１１０では、内袋４に隙間なく収納物１０１を充填した際に、外袋３の底部３ｃ内面と内袋４の底部４ｃ外面との間に隙間が形成されている形態について説明したが、これに限定されるものではない。例えば、内袋４に隙間なく収納物１０１を充填することで、内袋４の底部４ｃの一部が外袋３の底部３ｃと接した形態であってもよい。
【００４８】
このような形態であっても、収納物１０１を充填する際の衝撃（つまり、封止部３ｄ側から底部３ｃ側に向かう外力）が直接的にＩＣタグ５に伝わるのを低減することができる。よって、収納物１０１を充填する際に、ＩＣタグ５が破損する可能性を低減することができる。また、外袋３の底部３ｃ内面と内袋４の底部４ｃ外面との間に残された隙間により、ＩＣタグ５の通信も可能となる。
なお、上述した実施形態は、適宜組み合わせて用いることができる。
【符号の説明】
【００４９】
３        外袋
３ｂ      側面部
３ｃ      底部
４        内袋
４ａ      開口部
４ｂ      側面部
４ｃ      底部
５        ＩＣタグ
１７      折り込み部
１８      折り込み部
２２      折れ線部
２３      折れ線部
１００    ＩＣタグ付き収納袋
１１０    搬送物
２００    ＩＣタグ付き収納袋
３００    ＩＣタグ付き収納袋
４００    ＩＣタグ付き収納袋
【図１】
2014104980.tif 000003
【図２】
2014104980.tif 000004
【図３】
2014104980.tif 000005
【図４】
2014104980.tif 000006
【図５】
2014104980.tif 000007
【図６】
2014104980.tif 000008
【図７】
2014104980.tif 000009
【図８】
2014104980.tif 000010
【図９】
2014104980.tif 000011
【図１０】
2014104980.tif 000012
【図１１】
2014104980.tif 000013
【図１２】
2014104980.tif 000014
【図１３】
2014104980.tif 000015